(57)【要約】【課題】落下などにより大きな衝撃が加わった場合においても、ヘッドキャリッジをスライド可能に支持するガイドシャフトが定位置から脱落しないようにし、ディスク装置の構造的信頼性を向上する。【解決手段】記録媒体に対して情報を記録／再生するため、ヘッドキャリッジ１をスライド可能に支持ガイドシャフト２と、前記ガイドシャフト２を位置決めするための突部３ａが形成されたシャーシケース３と、前記ガイドシャフト２を前記シャーシケース３の前記突部３ａへ向けて押圧する第１の付勢部４ａと、前記ガイドシャフト２が前記突部３ａに乗り上げる方向へ変位しようとするとき、前記ガイドシャフト２を押し戻すように作用する第２の付勢部４ｂとを備える。【選択図】      図１
2005032313.tif 000002
【特許請求の範囲】
【請求項１】
記録媒体に対して情報を記録／再生するため、ヘッドキャリッジをスライド可能に支持するガイドシャフトと、
前記ガイドシャフトを位置決めするための突部が形成されたシャーシケースと、
前記ガイドシャフトを前記シャーシケースの前記突部へ向けて押圧する第１の付勢部と、
前記ガイドシャフトが前記突部に乗り上げる方向へ変位しようとするとき、前記ガイドシャフトを押し戻すように作用する第２の付勢部とを備えてなることを特徴とするガイドシャフト保持構造。
【請求項２】
前記第１の付勢部と前記第２の付勢部とが一体に形成されてなることを特徴とする請求項１記載のガイドシャフト保持構造。
【発明の詳細な説明】
【０００１】
【発明の属する技術分野】
本発明は、記録媒体に対して情報を記録／再生するディスク装置において、そのヘッドキャリッジをスライド可能に支持するガイドシャフトの保持構造に関するものである。
【０００２】
【従来の技術】
光ディスク、磁気ディスクなどの記録媒体により情報を記録または再生するディスク装置においては、ディスクの径方向に光学ヘッドまたは磁気ヘッドを移動するようにしている。このような光学ヘッドまたは磁気ヘッドはヘッドキャリッジに固定され、さらにこのヘッドキャリッジがガイドシャフトにスライド可能に支持されており、スレッドモータの回転力がヘッドキャリッジに伝達され、このヘッドキャリッジがガイドシャフトを往復動するようにしている（例えば、特許文献１）。
【０００３】
このような従来のディスク装置のガイドシャフトの保持構造では、可動台にガイドシャフトの端部を配置し、この端部をナットにより固定される板バネで押圧するようにしており、複数の部品を組み立てた保持構造となっている。
【０００４】
【特許文献１】
実開昭６２−４８０５４号
【０００５】
【発明が解決しようとする課題】
したがって、従来のディスク装置では、部品点数が多く組立作業を簡素化できるものではなく、近年、特に要求される薄型化に対応できる構造とすることができなかった。そこで、本願出願人は、簡素な構成で組立作業も容易なものとし、しかも薄型化が可能となる図４に示すようなガイドシャフトの保持構造を採用するようにした。
【０００６】
これは、同図に示すようにヘッドキャリッジ１をスライド可能に支持するガイドシャフト２の端部２ａをシャーシケース３の底板に突出形成した突部３ａと板バネ部材４の付勢片４ａで保持し、ガイドシャフト２の中位を板バネ部材５で押さえて固定するようにしたものである。
【０００７】
ところが、このように構成された保持構造では、ディスク装置を内蔵した情報機器の落下、あるいは外付け装置とした場合のディスク装置自体の落下による大きな衝撃が加わると、前記板バネ部材４・５の押圧力に抗して図５に示すようにガイドシャフト２の端部２ａが突部３ａを乗り越えて外れるという問題が発生した。
【０００８】
本発明は、かかる従来の問題に鑑みなされたもので、落下などにより大きな衝撃が加わった場合においても、ガイドシャフトが定位置から脱落しないようにしたもので、これによりディスク装置の構造的信頼性を向上することを目的とするものである。
【０００９】
【課題を解決するための手段】
そこで本発明は、以下に述べる各手段により上記課題を解決するようにした。即ち、請求項１記載の発明では、記録媒体に対して情報を記録／再生するため、ヘッドキャリッジをスライド可能に支持するガイドシャフトと、前記ガイドシャフトを位置決めするための突部が形成されたシャーシケースと、前記ガイドシャフトを前記シャーシケースの前記突部へ向けて押圧する第１の付勢部と、前記ガイドシャフトが前記突部に乗り上げる方向へ変位しようとするとき、前記ガイドシャフトを押し戻すように作用する第２の付勢部とを備えるようにする。
【００１０】
請求項２記載の発明では、上記請求項１記載の発明において、前記第１の付勢部と前記第２の付勢部とが一体に形成されてなるようにする。
【００１１】
【発明の実施の形態】
以下、本発明の実施の形態を図にもとづいて詳細に説明する。なお、従来と同一の構成部分には同一の符号を付してその説明を省略する。
【００１２】
図１は、本発明を３．５インチのフレキシブルディスクＤをドライブするディスク装置Ａに実施した例を示すもので、本発明に関連する機構要素の理解を容易とするように開示しており、フレキシブルディスクＤの装脱を司る機構要素などは省略してある。
【００１３】
同図において、符号３はアルミダイキャストなどで成形されたシャーシケースであり、図２に示すように底板底面のガイドシャフト２の端部２ａの保持位置に突部３ａが形成されている。ヘッドキャリッジ１は前記ガイドシャフト２にスライド可能に支持されており、スレッドモータ６の出力軸に同軸で固定されたスクリューシャフト７にナット結合したアーム１ａが従動し、ヘッドキャリッジ全体が前進後退する。前記ヘッドキャリッジ１には磁気ヘッドＨを備え、フレキシブルディスクＤが装填されたとき、その磁気シートに対向する。
【００１４】
前記ガイドシャフト２の端部２ａは、板バネ部材４から舌片状に突出した第１の付勢部４ａが前記シャーシケース３の突部３ａに向けて押圧され、第２の付勢部４ｂが前記第１の付勢部４ａの反対側から端部２ａに対向する。そして、この第１、第２の付勢部４ａ・４ｂは板バネ部材４と一体成形されており、固定ネジ８によりシャーシケース３の底面に固定されている。
【００１５】
本発明のガイドシャフト保持構造は以上のように構成されているので、ガイドシャフト２に衝撃が加わり、シャーシケース３の突部３ａを乗り上げようとする力が働いても、第２の付勢部４ｂにより阻止され、ガイドシャフト２は定位置に保持されたままとなる。
【００１６】
即ち、図３（Ａ）に示すように衝撃が印加れていない通常状態においては、第２の付勢部４ｂはガイドシャフト２から離間している。かかる状態において、外部から衝撃が印加し、ガイドシャフト２が図３（Ｂ）に示すように矢印Ｘ１方向に変位してガイドシャフト２が第２の付勢部４ｂに当接すると、該付勢部４ｂはガイドシャフト２を矢印Ｘ２方向に押し戻すように作用する。これによりガイドシャフト２は、衝撃の消滅した瞬間に図３（Ａ）の通常状態に復帰することができる。なお、通常状態では、第２の付勢部４ｂの付勢力がガイドシャフト２に作用することなく、第１の付勢部４ａの付勢力によってシャーシケース３に押圧され、定位置で安定に保持される。
【００１７】
【発明の効果】
以上、詳細に説明したように本発明の請求項１記載の発明によれば、ヘッドキャリッジをスライド可能に支持するガイドシャフトを第１、第２の付勢部で挟持する状態で保持するようにしたので、衝撃に対しても定位置を安定に保つことができ、構造的信頼性を向上することができた。さらに、本発明の保持構造は、複数の部品を用いることなく簡素な構成とすることができるので、ディスク装置の薄型化に貢献することが可能となる。
【００１８】
また、本発明の請求項２記載の発明によれば、板バネ部材に第１、第２の付勢部を同時に形成したので、きわめて低コストなものとすることができ、また、組立作業も容易なものとすることができる。
【図面の簡単な説明】
【図１】本発明を実施したディスク装置の内部の構成を示す斜視図である。
【図２】本発明の構成を示す要部斜視図である。
【図３】本発明の作用状態を説明するための断面図である。
【図４】従来の構成を示す要部斜視図である。
【図５】従来の構成の不具合の状態を説明するための斜視図である。
【符号の説明】
Ａ・・・・・・ディスク装置
Ｄ・・・・・・フレキシブルディスク
Ｈ・・・・・・磁気ヘッド
１・・・・・・ヘッドキャリッジ
２・・・・・・ガイドシャフト
３・・・・・・シャーシケース
３ａ・・・・・突部
４・・・・・・板バネ部材
４ａ・・・・・第１の付勢部
４ｂ・・・・・第２の付勢部
５・・・・・・板バネ部材
６・・・・・・スレッドモータ
７・・・・・・スクリューシャフト
８・・・・・・固定ネジ
【図１】
2005032313.tif 000003
【図２】
2005032313.tif 000004
【図３】
2005032313.tif 000005
【図４】
2005032313.tif 000006
【図５】
2005032313.tif 000007